(57)【特許請求の範囲】
【請求項１】
ケーシングで入口と弁室と出口を形成し、弁室と出口を連通する弁口を開けた弁座を弁室の下部に形成し、弁室内にフロートを収容し、弁室内の液位に応じて浮上降下するフロートでレバーを介して弁体が弁座に離着座して弁口を開閉することによりドレンを自動的に排出するものにおいて、配管系の送気時に発生するドレンを排出しきれない開口面積に形成され弁室と出口を連通するオリフィスを弁口とは別に弁室の下端に形成し、フロートの浮上によりレバーを介して弁体が弁座から離座したときにオリフィス内に進入してオリフィスに付着した異物を排除する異物排除部材を弁体に連結したことを特徴とするレバーフロート式ドレントラップ。
【発明の詳細な説明】
【技術分野】
【０００１】
本発明は、蒸気配管系や圧縮空気配管系やガス配管系に発生するドレンをフロートを用いて自動的に排出するレバーフロート式ドレントラップに関する。
【背景技術】
【０００２】
従来のフロート式ドレントラップは、例えば特許文献１に開示されている。これは、ケーシングで入口と弁室と出口を形成し、弁室と出口を連通する弁口を開けた弁座を弁室の下部に形成し、弁室内にフロートを収容し、弁室内の液位に応じて浮上降下するフロートが直接にあるいはレバーを介して弁体が弁座に離着座して弁口を開閉することによりドレンを自動的に排出するものにおいて、配管系の送気時に発生するドレンを排出しきれない開口面積に形成され弁室と出口を連通するオリフィスを弁口とは別に弁室の下部に形成したものである。
【先行技術文献】
【特許文献】
【０００３】
【特許文献１】特開平１０−１４１５９３号公報
【発明の概要】
【発明が解決しようとする課題】
【０００４】
上記従来のフロート式ドレントラップにおいては、オリフィスの開口面積が比較的小さいために、オリフィスを流下するドレン中のゴミ、錆、スケール等の異物がオリフィスに付着し易く次第に堆積して比較的短期間にオリフィスが詰まってしまう問題点があった。
【０００５】
したがって本発明が解決しようとする課題は、オリフィスに付着する異物を自動的に排除できるレバーフロート式ドレントラップを提供することである。
【課題を解決するための手段】
【０００６】
上記の課題を解決するために、本発明のレバーフロート式ドレントラップは、ケーシングで入口と弁室と出口を形成し、弁室と出口を連通する弁口を開けた弁座を弁室の下部に形成し、弁室内にフロートを収容し、弁室内の液位に応じて浮上降下するフロートでレバーを介して弁体が弁座に離着座して弁口を開閉することによりドレンを自動的に排出するものにおいて、配管系の送気時に発生するドレンを排出しきれない開口面積に形成され弁室と出口を連通するオリフィスを弁口とは別に弁室の下端に形成し、フロートの浮上によりレバーを介して弁体が弁座から離座したときにオリフィス内に進入してオリフィスに付着した異物を排除する異物排除部材を弁体に連結したことを特徴とするものである。
【発明の効果】
【０００７】
本発明によれば、配管系の送気時に発生するドレンを排出しきれない開口面積に形成され弁室と出口を連通するオリフィスを弁口とは別に弁室の下端に形成し、フロートの浮上によりレバーを介して弁体が弁座から離座したときにオリフィス内に進入してオリフィスに付着した異物を排除する異物排除部材を弁体に連結したものであるので、フロートの浮上により異物排除部材がオリフィス内に進入してオリフィスに付着する異物を自動的に排除できるという効果を奏する。また、オリフィスを弁室の下端に形成したものであるので、配管系の休止時に弁室内にドレンを溜めないという効果を奏する。
【図面の簡単な説明】
【０００８】
【図１】本発明の実施の形態に係わるレバーフロート式ドレントラップの断面図である。
【発明を実施するための形態】
【０００９】
以下、本発明の実施の形態について、図１を参照して説明する。レバーフロート式ドレントラップは、入口１と出口２を有する本体３に蓋体４をボルト５で締結して内部に弁室６を有するケーシングを構成する。弁室６と出口２を連通する第１弁口７及び第２弁口８を有する弁座９を弁室６の下部の本体３に図示しないねじにより取り付ける。入口１は弁室６の下部に開口し、出口２は第１弁口７及び第２弁口８を介して弁室６の下部に開口する。
【００１０】
弁室６内の弁座９に揺動軸１０を支持し、揺動軸１０にレバー１１を回転可能に連結する。レバー１１の左端部に弁室６内の液位に応じて浮上降下する中空球形のフロート１２を連結する。レバー１１の揺動軸１０の右側に揺動軸１０と平行な連結軸１３を支持し、連結軸１３に連結棒１４の上部を回転可能に連結する。連結棒１４の下部は弁体１５の弁棒１６の上端部に支持された揺動軸１０と平行な弁軸１７に回転可能に連結する。
【００１１】
弁体１５は第１弁口７を下方の出口２側から開閉する第１弁体１８と、第２弁口８を下方の弁室６側から開閉する第２弁体１９と、第１弁体１８と第２弁体１９を連結する弁棒１６とから構成する。第１弁体１８及び第２弁体１９が第１弁口７及び第２弁口８を閉じる位置からレバー１１が更に閉弁方向に回転したときにレバー１１が当接するストッパ部材２０をレバー１１の下方にボルト２１で弁座９に取り付ける。ストッパ部材２０は断面ほぼＬ字状でほぼ鉛直方向の面をボルト２１で弁座９に取り付け、ほぼ水平方向の面をフロート１２方向に伸ばす。第１弁口７及び第２弁口８とは別に弁室４と出口２を連通するオリフィス２２を弁室６の下端の第２弁口８の下の本体３に形成する。
オリフィス２２の開口面積は配管系の送気時に発生するドレンを排出しきれない大きさに形成する。 オリフィス２２の下流はオリフィス２２よりも開口面積が拡大する連通孔に連通している。弁棒１６の下端に異物排除部材２４の上端を圧入して連結する。異物排除部材２４はフロート１２の浮上により弁体１５が弁座９から離座したときにオリフィス２２内に進入してオリフィス２２に付着した異物を排除する。
【００１２】
上記のレバーフロート式ドレントラップの動作は次の通りである。弁室６内の液位が低い場合は、図１に示すようにフロート１２は降下し、第１弁体１８及び第２弁体１９が弁座９に着座して第１弁口７及び第２弁口８を閉じている。このとき、異物排除部材２４はオリフィス２２の上方に位置してオリフィス２２内に侵入していない。入口１から流入するドレンによって弁室６内の液位が上昇すると、フロート１２が上動してレバー１１が揺動軸１０を中心に時計回り方向に回転する。このレバー１１の回転により、連結棒１４を介して弁体１５が下動して第１弁体１８及び第２弁体１９が弁座９から離座して第１弁口７及び第２弁口８を開く。これにより、弁室６のドレンを出口２から排出する。このとき、異物排除部材２４はオリフィス２２内に侵入してオリフィス２２に付着した異物を排除する。
【００１３】
ドレンの排出により弁室６内の液位が低下すると、フロート１２が下動してレバー１１が揺動軸１０を中心に反時計回り方向に回転する。このレバー１１の回転により、連結棒１４を介して弁体１５が上動して第１弁体１８及び第２弁体１９が弁座９に着座して第１弁口７及び第２弁口８を閉じる。これにより、気体の漏出を防止する。このとき、異物排除部材２４はオリフィス２２から抜出してオリフィス２２の上方に位置する。
【産業上の利用可能性】
【００１４】
本発明は、蒸気配管系や圧縮空気配管系やガス配管系に発生するドレンをフロートを用いて自動的に排出するレバーフロート式ドレントラップに利用することができる。
【符号の説明】
【００１５】
１  入口
２  出口
３  本体
４  蓋体
６  弁室
７  第１弁口
８  第２弁口
９  弁座
１０  揺動軸
１１  レバー
１２  フロート
１５  弁体
１６  弁棒
１８  第１弁体
１９  第２弁体
２０  ストッパ部材
２２  オリフィス
２４  異物排除部材
【図１】
0005507407.tif 000002